(57)【要約】【課題】軒樋の取り付け及び取り外しの作業性を向上させる軒樋支持具を提供する。【解決手段】軒樋５の前後に形成された前耳５ｂ及び後耳５ａを、それぞれ前耳収容凹所４及び後耳収容凹所３に収容させて軒樋５を支持する軒樋支持具１であって、取付対象部材２３に固定される第１支持部材１０と、第１支持部材１０に組み付けられた状態で後耳収容凹所３を形成する第２支持部材１５と、これら第１支持部材１０及び第２支持部材１５に組み付けられた状態で前耳収容凹所４を形成する第３支持部材２０と、を備えており、これら第１支持部材１０及び第２支持部材１５の各前端部と第３支持部材２０の上端部とにそれぞれ直立して設けられた各固定片部１２，１７，２１を止具６によって連結することで第１支持部材１０、第２支持部材１５及び第３支持部材２０が互いに固定される。【選択図】図１
2018172922.tif 000002
【特許請求の範囲】
【請求項１】
軒樋の前後に形成された前耳及び後耳を、それぞれ前耳収容凹所及び後耳収容凹所に収容させて軒樋を支持する軒樋支持具であって、
取付対象部材に固定される第１支持部材と、該第１支持部材に組み付けられた状態で前記後耳収容凹所を形成する第２支持部材と、これら第１支持部材及び第２支持部材に組み付けられた状態で前記前耳収容凹所を形成する第３支持部材と、を備えており、
これら前記第１支持部材及び前記第２支持部材の各前端部と前記第３支持部材の上端部とにそれぞれ直立して設けられた各固定片部を止具によって連結することで各支持部材が互いに固定されることを特徴とする軒樋支持具。
【請求項２】
請求項１において、
前記第１支持部材、前記第２支持部材及び前記第３支持部材は、組み付け前において互いに分離しており、前記止具による前記固定片部の連結によって互いに固定されることを特徴とする軒樋支持具。
【請求項３】
請求項１において、
前記第１支持部材及び前記第２支持部材は、互いに略鉛直方向に沿う軸廻りに回転可能に連結されており、
前記第１支持部材の後耳側部位と前記第２支持部材の後耳側部位とを前記軸方向に見て重合させるように、前記軸廻りに回転させることで、前記後耳収容凹所が形成されることを特徴とする軒樋支持具。
【発明の詳細な説明】
【技術分野】
【０００１】
本発明は軒樋支持具に関する。
【背景技術】
【０００２】
従来より、軒先に配される軒樋を支持する軒樋支持具が知られている。このような軒樋支持具としては、軒樋の前後に設けられた耳部をそれぞれ係止し、軒樋を吊持する構成とされたものがある（たとえば、特許文献１参照）。
この特許文献１では、支持本体部の一端に設けられた係合爪部に、軒樋のフック状の一方の耳部を差し込んで引っ掛け、支持本体部の他端に設けられた弾性板を押しのけて他方の耳部をこの耳部が係合される領域に挿入して軒樋を支持する軒樋支持具が開示されている。
【先行技術文献】
【特許文献】
【０００３】
【特許文献１】特開２０１５−４８６８０号公報
【発明の概要】
【発明が解決しようとする課題】
【０００４】
しかしながら、このような軒樋支持具では、軒樋を取り付ける際に、長尺状の軒樋の長さ方向に複数設けられた軒樋支持具の係合爪部に、一度に一方の耳部を引っ掛け、また、複数の弾性板を一度に押しのけて他方の耳部を係止する必要があり、取り付け難いようなことが考えられる。また、軒樋を取り外す際には、他方の耳部を係止する弾性板を変形させる必要があり、取り外し難いようなことが考えられる。
【０００５】
本発明は、このような事情を考慮して提案されたもので、その目的は、軒樋の取り付け及び取り外しの作業性を向上させる軒樋支持具を提供することにある。
【課題を解決するための手段】
【０００６】
上記目的を達成するために、請求項１に記載の軒樋支持具は、軒樋の前後に形成された前耳及び後耳を、それぞれ前耳収容凹所及び後耳収容凹所に収容させて軒樋を支持する軒樋支持具であって、取付対象部材に固定される第１支持部材と、該第１支持部材に組み付けられた状態で前記後耳収容凹所を形成する第２支持部材と、これら第１支持部材及び第２支持部材に組み付けられた状態で前記前耳収容凹所を形成する第３支持部材と、を備えており、これら前記第１支持部材及び前記第２支持部材の各前端部と前記第３支持部材の上端部とにそれぞれ直立して設けられた各固定片部を止具によって連結することで各支持部材が互いに固定されることを特徴とする。
【０００７】
請求項２に記載の軒樋支持具は、前記第１支持部材、前記第２支持部材及び前記第３支持部材が組み付け前において互いに分離しており、前記止具による前記固定片部の連結によって互いに固定される構成とされている。
【０００８】
請求項３に記載の軒樋支持具は、前記第１支持部材及び前記第２支持部材が、互いに略鉛直方向に沿う軸廻りに回転可能に連結されており、前記第１支持部材の後耳側部位と前記第２支持部材の後耳側部位とを前記軸方向に見て重合させるように、前記軸廻りに回転させることで、前記後耳収容凹所が形成される構成とされている。
【発明の効果】
【０００９】
請求項１に記載の軒樋支持具によれば、上述した構成となっているため、第１支持部材及び第２支持部材を組み付けた状態で軒樋を仮保持し、第１支持部材、第２支持部材及び第３支持部材の各固定片部を連結することで、各支持部材を互いに固定し、軒樋を強固に支持することができる。
【００１０】
また、共通の止具によって各支持部材を互いに固定することができ、軒樋の取り付け、または取り外しの際の作業性を向上させることができる。
また、軒樋の前耳及び後耳を、互いに別部材とされた各支持部材によって形成される耳収容凹所に収容させて軒樋を支持する構成としているので、例えば、軒樋の長さ方向に複数設けられた軒樋支持具に対して、一度に軒樋の耳をばね材に押し込んで耳収容部に収容させたり、フックに引っ掛けて支持させるようなものと比べて、容易に軒樋を取り付け、また、取り外しすることができる。
【００１１】
請求項２に記載の軒樋支持具によれば、上述した構成となっているため、互いに分離された各支持部材を、１箇所の連結によって固定することができ、各支持部材によって軒樋を強固に支持することを可能としながらも、容易に軒樋を取り付け、また、取り外しすることができる。
【００１２】
請求項３に記載の軒樋支持具によれば、上述した構成となっているため、回転可能に連結された第１支持部材及び第２支持部材を回転させることで、後耳収容凹所を形成することができ、軒樋の取り付け、または取り外しの際の作業性をより向上させることができる。
【図面の簡単な説明】
【００１３】
【図１】（ａ）は本発明の一実施形態に係る軒樋支持具の側面図であり、（ｂ）は、同軒樋支持具の分解側面図である。
【図２】同軒樋支持具の軒樋の取り付け手順を示した側面図である。
【図３】同軒樋支持具の分解斜視図である。
【図４】本発明の他の実施形態に係る軒樋支持具の側面図である。
【図５】同軒樋支持具の軒樋の取り付け手順を示した側面図である。
【発明を実施するための形態】
【００１４】
以下に、本発明の実施の形態に係る軒樋支持具について、添付図面をもとに説明する。
【００１５】
本軒樋支持具１は、軒樋５の前後に形成された前耳５ｂ及び後耳５ａを、それぞれ前耳収容凹所４及び後耳収容凹所３に収容させて軒樋５を支持するようにしたものである。
この軒樋支持具１は、軒先２に固定された取付対象部材２３に固定される。
本実施形態では、図１に示すように、軒先２としての壁面に固定された取付杆としての取付対象部材２３に、軒樋支持具１（第１支持部材１０）が連結固定される構成としている。
この軒樋支持具１は、軒樋５の長手方向に沿って複数設けられて軒樋５を支持するものとしてもよい。
【００１６】
取付対象部材２３は、前端に軒樋支持具１と連結される連結部２４を有し、後端に軒先２等に固定される取付部２５を有している。取付部２５は板状体の後端部に形成された垂下部２６に取付板体２７を取りつけてなり、軒先２等に固定具２８で固定される。また、連結部２４にはボルト挿通孔２４ａが形成されている。
【００１７】
軒樋５は、長尺状の角樋とされ、長さ方向に見て上方に開口する略コ字状とされている。
この軒樋５の前後の開口縁には、全長に亘って前後の耳（前耳５ｂ及び後耳５ａ）が、外側に膨出するように形成されている。これら前耳５ｂ及び後耳５ａは、長さ方向に見て矩形状とされている。また、図例では、前耳５ｂを、後耳５ａよりも上方に位置させた例を示している。
【００１８】
軒樋支持具１の前耳収容凹所４及び後耳収容凹所３は、前耳５ｂ及び後耳５ａに応じた形状とされている。つまり、本実施形態では、これら前耳収容凹所４及び後耳収容凹所３は、軒樋５の長さ方向に見て前耳５ｂ及び後耳５ａに応じた略矩形状とされている。
【００１９】
この軒樋支持具１は、取付対象部材２３に固定される第１支持部材１０と、この第１支持部材１０に組み付けられた状態で後耳収容凹所３を形成する第２支持部材１５と、これら第１支持部材１０及び第２支持部材１５に組み付けられた状態で前耳収容凹所４を形成する第３支持部材２０と、を備えている。
【００２０】
また、軒樋支持具１は、これら第１支持部材１０及び第２支持部材１５の前端部と第３支持部材２０の上端部とにそれぞれ直立して設けられた各固定片部１２，１７，２１を止具６によって連結することで第１支持部材１０、第２支持部材１５及び第３支持部材２０が互いに固定される。
【００２１】
本実施形態では、軒樋支持具１を、第１支持部材１０、第２支持部材１５及び第３支持部材２０が組み付け前において互いに分離しており、止具６による固定片部１２，１７，２１の連結によって互いに固定される構成としている。
また、本実施形態では、各固定片部１２，１７，２１を止具６としてのねじが挿通され、ナット７で螺合することで互いに固定される構成としている。
【００２２】
第１支持部材１０は、図３に示すように、取付対象部材２３に固定される水平片部１１と、この水平片部１１の前端部に設けられた固定片部１２と、水平片部１１の後端部に設けられ、後耳収容凹所３を構成する凹部１３と、を備えている。
また、この凹部１３から垂れ下がるように形成された垂下片部１４と、この垂下片部１４の下端から前方に向けて突出する突片部１４ａを備えている。
本実施形態では、これら水平片部１１、固定片部１２、凹部１３、垂下片部１４及び突片部１４ａを帯板状としている。また、この第１支持部材１０は、長尺な帯板状部材を折り曲げて形成されたものとしてもよい。
【００２３】
水平片部１１は、上下方向に開口し、ボルト２９が挿通されるボルト挿通孔１１ａが形成されている。この水平片部１１と取付対象部材２３の連結部２４とが重ねられ、重合した各ボルト挿通孔１１ａ，２４ａにボルト２９を挿通し、蝶ナット２９ａで螺合することで第１支持部材１０が取り付けられるようになっている。本実施形態では、水平片部１１のボルト挿通孔１１ａを前後方向に沿って形成された長孔状とし、取付対象部材２３に対する第１支持部材１０の取付位置をボルト挿通孔１１ａで調整することで、軒樋５の軒先２等からの出具合を調節できるようにしている。
【００２４】
固定片部１２は、水平片部１１の前端部から立ち上がるように設けられており、前後方向に開口し、止具６が挿通される止具挿通孔１２ａが形成されている。
凹部１３は、水平片部１１の後端部において下方に形成され、前方に開口する側面視略コ字状とされている。
この凹部１３は、水平片部１１の後端部と、この後端部に連なり下方に垂れ下がる側壁部１３ａと、この側壁部１３ａの下端から前方に突出する底壁部１３ｂと、によって区画されている。
【００２５】
垂下片部１４は、凹部１３の底壁部１３ｂの前端から下方に垂れ下がるように設けられている。この垂下片部１４は、軒樋５が支持された状態で、軒樋５の後側の側面に沿うように形成されている。
突片部１４ａは、軒樋５が支持された状態で、軒樋５の下面に沿うように、垂下片部１４の下端から突出するように形成されている。この突片部１４ａの突出寸法は、軒樋５の下面を支持する観点等から適宜、設定するようにしてもよい。
【００２６】
第２支持部材１５は、第１支持部材１０の下方に配され、水平片部１６と、この水平片部１６の前端部に設けられた固定片部１７と、水平片部１６の後端部に設けられ、後耳収容凹所３を構成する凹部１８と、を備えている。
本実施形態では、第１支持部材１０と同様、これら水平片部１６、固定片部１７及び凹部１８を帯板状としている。
【００２７】
水平片部１６は、第１支持部材１０の水平片部１１の長さ方法に沿って長尺状とされている。
固定片部１７は、水平片部１６の前端部から立ち上がるように設けられており、前後方向に開口し、止具６が挿通される止具挿通孔１７ａが形成されている。
この止具挿通孔１７ａは、第２支持部材１５が第１支持部材１０に組み付けられた状態で、第１支持部材１０の止具挿通孔１２ａと重合するように形成されている。
【００２８】
凹部１８は、水平片部１６の後端部において後方及び下方に開口する側面視略倒Ｌ字状とされている。
この凹部１８は、水平片部１６の後端部に連なり上方に立ち上がる側壁部１８ａと、この側壁部１８ａの上端から後方に突出する天壁部１８ｂと、によって区画されている。
本実施形態では、この凹部１８と、第１支持部材１０の凹部１３と、によって後耳収容凹所３が構成される。つまり、後耳収容凹所３は、第１支持部材１０の側壁部１３ａ、底壁部１３ｂ、第２支持部材１５の側壁部１８ａ及び天壁部１８ｂによって区画されている。
【００２９】
この第２支持部材１５は、図１（ａ）及び図２に示すように、第１支持部材１０に組み付けられた状態で、固定片部１７の後面が固定片部１２の前面に当接し、凹部１８を構成する天壁部１８ｂの上面が、水平片部１１の後端部の下面に当接する構成とされている。
【００３０】
第３支持部材２０は、第１支持部材１０及び第２支持部材１５の前方に配され、固定片部２１と、この固定片部２１の下端部に設けられ、前耳収容凹所４を構成する凹部２２と、を備えている。
本実施形態では、第１支持部材１０及び第２支持部材１５と同様、これら固定片部２１及び凹部２２を帯板状としている。
【００３１】
固定片部２１は、前後方向に開口し、止具６が挿通される止具挿通孔２１ａが形成されている。
この止具挿通孔２１ａは、第３支持部材２０が第１支持部材１０及び第２支持部材１５に組み付けられた状態で、各止具挿通孔１２ａ，１７ａと重合するように形成されている。
【００３２】
凹部２２は、後方に開口する側面視略コ字状とされている。
この凹部２２は、固定片部２１の下端部に連なり、前方に突出する天壁部２２ａと、この天壁部２２ａの前端から下方に垂れ下がる側壁部２２ｂと、この側壁部２２ｂの下端から後方に突出する底壁部２２ｃと、によって区画されている。
【００３３】
本実施形態では、この凹部２２と、第２支持部材１５の固定片部１７と、によって前耳収容凹所４が構成される。
つまり、前耳収容凹所４は、天壁部２２ａ、側壁部２２ｂ、底壁部２２ｃ及び第２支持部材１５の固定片部１７によって区画されている。
この第３支持部材２０は、第１支持部材１０及び第２支持部材１５に組み付けられた状態で、固定片部２１の後面が第２支持部材１５の固定片部１７の前面に当接する構成とされている。
【００３４】
次いで、この軒樋支持具１に対する軒樋５の取付態様について説明する。
まず、図１（ｂ）に示すように、取付対象部材２３に固定された第１支持部材１０に、第２支持部材１５及び軒樋５を組み付ける。
本実施形態では、図２に示すように、第１支持部材１０の凹部１３に、軒樋５の後耳５ａ及び第２支持部材１５の後端部を構成する天壁部１８ｂを収容させて、第２支持部材１５及び軒樋５を仮保持させた例を示している。
この際に、まず、軒樋５を、第１支持部材１０の水平片部１１と突片部１４ａとによって、上下から挟持するようにして仮保持させ、次いで、第２支持部材１５の天壁部１８ｂを、第１支持部材１０の水平片部１１と軒樋５の後耳５ａとによって挟持させるようにしてもよい。
【００３５】
次いで、図１に示すように、第３支持部材２０を、第１支持部材１０及び第２支持部材１５に組み付け、軒樋５の前耳５ｂが前耳収容凹所４に収容された状態で、各固定片部１２，１７，２１の止具挿通孔１２ａ，１７ａ，２１ａに止具６を挿通し、ナット７で螺合する。これにより、第１支持部材１０、第２支持部材１５及び第３支持部材２０が互いに連結固定された状態となる。
また、軒樋５を取り外す場合には、止具６による固定を解除し、第１支持部材１０に対して第２支持部材１５、第３支持部材２０及び軒樋５を取り外せばよい。
【００３６】
以上のように、本実施形態では、後耳５ａが後耳収容凹所３に収容された状態で軒樋５を仮保持させることができ、取付作業性を向上させることができる。
また、互いに分離された第１支持部材１０、第２支持部材１５及び第３支持部材２０を１つの止具によって連結固定することができ、また、これらを止具６によって固定しているので、ばね材で軒樋の耳を固定するようなものと比べて、強固に軒樋５を支持することができる。
【００３７】
なお、上記した取付態様は一例であり、これに限られない。例えば、第２支持部材１５を、軒樋５に組み付け可能な構成とし、これらを組み付けた状態で、第１支持部材１０に組み付けるようにしてもよい。
また、第２支持部材１５及び軒樋５を仮保持させる態様についても上記態様に限られず、第２支持部材１５自体を第１支持部材１０に着脱自在に係止可能な構成としてもよい。例えば、第２支持部材１５の後端部自体を第１支持部材１０の凹部１３に収容させて仮保持可能な構成としてもよく、第２支持部材１５の固定片部１７を、適宜のフック等によって第１支持部材１０の固定片部１２に係止可能な構成としてもよい。
【００３８】
次に、図４及び図５に示した他の実施形態に係る軒樋支持具１Ａについて説明する。
なお、以下の実施形態では、上記した実施形態との相違点について主に説明し、同様の構成については、同一の符号を付し、その説明を省略または簡略に説明する。
【００３９】
軒樋支持具１Ａは、第１支持部材１０Ａと第２支持部材１５Ａとが連結されている点が、上記した実施形態と異なる。
本実施形態では、第１支持部材１０Ａ及び第２支持部材１５Ａが、互いに略鉛直方向に沿う軸廻りに回転可能に連結されており、第１支持部材１０Ａの後耳側部位と第２支持部材１５Ａの後耳側部位とを軸方向に見て重合させるように、軸廻りに回転させることで後耳収容凹所３が形成される構成としている。
【００４０】
軒樋支持具１Ａは、図４に示すように、軒先２Ａとしての折板屋根に取り付けられた取付対象部材２３Ａとしての吊りボルトに固定される。
第１支持部材１０Ａの水平片部１１Ａ及び第２支持部材１５Ａの水平片部１６Ａには、互いに組み付けられた状態で軸方向に見て重合し、吊りボルト（取付対象部材２３Ａ）が挿通されるボルト挿通孔１１Ａａ及び１６Ａａが形成されている。
また、本実施形態では、このボルト軸廻りに第１支持部材１０Ａ及び第２支持部材１５Ａが回転可能に連結されている。
【００４１】
本実施形態では、図５に示すように、第１支持部材１０Ａ及び第２支持部材１５Ａを、各後耳側部位同士を軸方向に見て重合させた状態から互いにずらすようにして軸廻りに回転させることで、各凹部１３，１８を開口させ、軒樋５の後耳５ａを受入れ可能な状態とすることができる。
これにより、第１支持部材１０Ａ及び第２支持部材１５Ａを連結させた状態で、軒樋５を取り付けまたは取り外しすることができ、作業性を向上させることができる。
【００４２】
また、軒樋５を取り付ける際には、第１支持部材１０Ａ及び第２支持部材１５Ａの各後耳側部位同士を軸方向に見て重合させ、後耳収容凹所３に軒樋５の後耳５ａを収容させて仮保持した状態で、上記した実施形態同様、止具６により第１支持部材１０Ａ、第２支持部材１５Ａ及び第３支持部材２０の各固定片部１２，１７，２１を連結して固定する。
【００４３】
なお、上記各実施形態では、各固定片部１２，１７，２１を、ねじとしての止具６によって固定した例を示しているが、このようなものに限られず、例えば、バンド等の結束具や挟持による固定具等としてもよく、各固定片部１２，１７，２１を固定可能なものであればよい。
また、上記各実施形態では、軒樋５を角樋とした例を示したが、丸樋としてもよい。この場合は、丸樋の外郭形状に応じて第１支持部材１０，１０Ａの形状を適宜、変更してもよい。
【符号の説明】
【００４４】
１，１Ａ      軒樋支持具
２，２Ａ      軒先
３            後耳収容凹所
４            前耳収容凹所
５            軒樋
５ａ          後耳
５ｂ          前耳
１０，１０Ａ  第１支持部材
１１，１１Ａ  水平片部
１２          固定片部
１３          凹部
１４          垂下片部
１４ａ        突片部
１５，１５Ａ  第２支持部材
１６，１６Ａ  水平片部
１７          固定片部
１８          凹部
２０          第３支持部材
２１          固定片部
２２          凹部
２３，２３Ａ  取付対象部材
２４          連結部
２５          取付部
２６          垂下部
２７          取付板体
２９          ボルト
２９ａ        蝶ナット
【図１】
2018172922.tif 000003
【図２】
2018172922.tif 000004
【図３】
2018172922.tif 000005
【図４】
2018172922.tif 000006
【図５】
2018172922.tif 000007